(57)【要約】【課題】  縦板と横板を接続する従来の接続具として、一方の係合片が凹部を有する短い第１連結片と凸部を有する長い第２連結片からなり、もう一方の係合片も同様な形状からなるものがあった。この接続具は、長さが短いため、接続部全域を接続することができず、また板が吸湿・乾燥を繰り返すと板が反って板間に隙間を生ずることがあった。【解決手段】  本発明の接続具は、長尺の摺動レール、長尺の係合本体、長尺の保持レールから構成されているものであり、板の接続部の長さに合わせて如何様の長さにも対応できるものである。従って、本発明の接続具は接続部全域を接続できることから、接続強度が十分に強くなり、また板の反りに対しても十部に抑制できるものである。【選択図】図１
2017219185.tif 000002
【特許請求の範囲】
【請求項１】
第一板材と第二板材を連結する板材の接続具であって、
第一板材に設置され、断面コ字型の長尺であって、両壁の先部は内方に出た保持部となっており、一対の保持部間で開口が形成されている摺動レール；
弾性を有する長尺材であって、前記摺動レール内を摺動する摺動部と前記開口から突出する一対の係合片からなり、しかも一対の係合片の先部は係合部となっていて、該係合部には傾斜部が形成されているとともに、傾斜部の途中には内方に引っ込んだ係合段部が形成されている係合本体；
第二板材に設置され、長尺材であって一対の壁の先部は引掛け部となっており、該引掛け部は前記係合部と一致する位置に形成されていて、しかも引掛け部には係合部と相反する方向に傾斜した傾斜部が形成されており、さらに傾斜部の途中には内方に引っ込んだ引掛け段部が形成されている保持レール；
から構成されていることを特徴とする板材の接続具。
【請求項２】
前記係合部の傾斜部は長手方向に対して外側に向いており、保持レールの引掛け部は保持レールの両側に形成されていて、引掛け部の傾斜部は長手方向に対して内側に向いていることを特徴とする請求項１に記載の板材の接続具。
【請求項３】
前記係合部の傾斜部は長手方向に対して内側に向いており、保持レールの引掛け部は保持レールの中央に形成されていて、引掛け部の傾斜部は長手方向に対して外側に向いていることを特徴とする請求項１に記載の板材の接続具。
【請求項４】
前記一対の係合片間にはロックバーが挿入されていることを特徴とする請求項１乃至２に記載の板材の接続具。
【請求項５】
前記係合片と保持レール壁間にはロックバーが挿入されていることを特徴とする請求項１乃至３に記載の板材の接続具。
【請求項６】
前記係合本体の端部には、係合本体を摺動レールから引き抜くための抜取り手段が施されていることを特徴とする請求項１に記載の板材の接続具。
【発明の詳細な説明】
【技術分野】
【０００１】  本発明は、家具等の組立において、一組の板材、例えば家具の横板となる天板と縦板となる側板とを接続するに適した板材の接続具である。
【背景技術】
【０００２】  一般に、洋服ダンスや食器棚のような大きな家具は、顧客が家具専門店で購入し、その家具専門店が家具として完成した状態で顧客の家まで搬送している。大きな家具の組立は、熟練した技術が必要であり、また特殊な工具を用いなくてはならないことがあり、一般素人では組立が困難であるため、家具メーカーで組み立てている。【０００３】  ところで近時、郊外に家具を安価に販売する量販店が増えてきており、消費者は量販店に自家用車で乗り付け、自家用車で搬送できる程度の比較的小さな家具、例えばシューズ・ボックスや収納ボックス等を購入するようになってきた。【０００４】  これらの家具は、家具を構成する部材がセットになっており、顧客は、そのセットを購入し、家に持ち帰って、家で組み立てるという所謂「セルフ・ノックダウン」を行っている。【０００５】  従来、セルフ・ノックダウンを行う家具の組立において、家具の構成板材を接続する手段としては、木ネジの螺入、ダボの打ち込み、接着剤での接合、等であった。これらの接続手段は、接続部の構造を簡単できるため、家具自体を安価にできるが、デメリットの多いものでもあった。例えば木ネジの螺入では、木ネジの頭部が板材の表面に露出するため、家具の外観が悪くなり、しかも木ネジの螺入作業では多数の板材の接続個所をドライバーで力強く回動しなければならないため、手に豆を作ってしまうことがあった。またダボの打ち込みでは、金槌でダボを打ち込むときに、手元が狂ってダボ以外の箇所に金槌を当て、家具を傷付けてしまうことがあった。そして接着剤を用いた組立作業では、接着剤の塗布量が少ないと、家具組立後、接着強度が弱くなって家具が壊れてしまう。しかるに接着剤の塗布量を必要以上に多くすると、接着剤が塗布部以外の箇所に溢れ出て、板材を汚してしまうという不都合が生じる。【０００６】  そのため近時では、家具のセルフ・ノックダウン用として木ネジ、ダボ、接着剤等を使わないで、簡単に板材同士を接続する接合具が例えば特許第３８４１８０２号に提案されている。
【先行技術文献】
【特許文献】
【０００７】
【特許文献１】特許第３８４１８０２号公報
【発明の概要】
【発明が解決しようとする課題】
【０００８】  特許文献１に記載されている発明は、縦パネルに取り付ける係合片が凹部を有する短い第１連結片と凸部を有する長い第２連結片からなり、また横パネルに取り付ける係合片も同様に第１連結片と第２からなるものである。そして縦パネルと横パネルを接続するときには、それぞれの係合片の凹部と凸部を嵌合させ、その後、係合部品間に閂部材を挿入するようになっている。【０００９】  特許文献１の接合具は、それぞれの係合部の凹部と凸部を嵌合した後、閂を挿入するため、板材同士の接続が堅固に行えるという優れた効果を奏するものである。しかしながら、この接合具は、第１連結片の凹部を横方に形成しなければならないため、凹部は四方が囲まれた開口でなければならない。つまり凹部を横壁がないように形成しようとすると、横壁のない凹部により第１連結片が切られてしまうことになる。そのため、特許文献１の接続具は、横方の長さが短いブロック状に限定されてしまうものであった。【００１０】  ところでブロック状の接合具で板同士を接続すると、ブロック状の接合具は長さが短いため、接続が接合具の部分だけとなり、他の部分は実際に接続されていない状態となる。従って、ブロック状の接合具では接続強度が全体を接続するものよりも弱くなる。また板は吸湿・乾燥を繰り返すと、反ってしまうが、ブロック状の接合具を用いた接続では、ブロック状の接合具間で板同士が接続されていない部分ができて、その部分が隙間になってしまうものであった。【００１１】  本発明者は、家具の板材同士を接続する接続具が長尺であれば、接続部が連続的に接続され、その結果、板同士の接続強度が非常に強くなり、しかも板が吸湿・乾燥を繰り返しても、反って隙間ができるようなことが起こらなくなることに着目して本発明を完成させた。
【課題を解決するための手段】
【００１２】  本発明は、第一板材と第二板材を連結する板材の接続具であって、第一板材に設置され、断面コ字型の長尺であって、両壁の先部は内方に出た保持部となっており、一対の保持部間で開口が形成されている摺動レール；弾性を有する長尺材であって、前記摺動レール内を摺動する摺動部と前記開口から突出する一対の係合片からなり、しかも一対の係合片の先部は係合部となっていて、該係合部には傾斜部が形成されているとともに、傾斜部の途中には内方に引っ込んだ係合段部が形成されている係合本体；第二板材に設置され、長尺材であって、一対の壁の先部は引掛け部となっており、該引掛け部は前記係合部と一致する位置に形成されていて、しかも引掛け部には係合部と相反する方向に傾斜した傾斜部が形成されており、さらに傾斜部の途中には内方に引っ込んだ引掛け段部が形成されている保持レール；から構成されていることを特徴とする板材の接続具である。【００１３】  本発明では、接続具が長尺であり、係合本体の係合部に形成した係合段部と保持レールの引掛け部に形成した引掛け段部が係合することにより、板材同士が接続されるようになっていて、この係合だけでも十分な接続強度が得られるが、さらに一対の係合片間に一本のロックバーを挿入したり、または一方の係合片と保持レールの壁間に一本のロックバー、およびもう一方の係合片と保持レールの壁間にもう一本のロックバーの計二本のロックバーを挿入することにより、さらに強固な接続強度を得ることができる。【００１４】  本発明の接続具は、家具を組み立てた後、搬送や廃棄のため家具を分解する場合、きわめて簡単な操作を行うだけで家具を分解できる。即ち、家具を分解する場合、家具に設置された摺動レールから係合本体を抜き取るだけで、係合本体の係合部に形成した係合段部と保持レールの引掛け部に形成した引掛け段部との係合が解かれ、簡単に家具を分解することができるようになっている。【００１５】  この係合本体を摺動レールから抜き取るときに、係合本体が摺動レールの中に没していたり、摺動レールの横面に面一状態であったりした場合、係合本体を掴んで抜き取れなくなる。そのため係合本体を抜き取り易いように係合本体の端部に抜取り手段を施しておくとよい。その抜取り手段とは、係合本体の端部にテープや紐状のものを取り付けたり、係合本体の端部に鉤を引っ掛けることができる穴や窪みを形成しておいたりすることである。【００１６】  本発明の接続具における摺動レールと保持レールは、長尺であるためアルミニュームや樹脂を押し出し成型したものが安価に、そして容易に製造できる。また摺動部を摺動レールの空洞部内で摺動させる長尺の係合本体は、アルミニュームや樹脂に対して摺動しやすい樹脂製のものが好適である。樹脂製の係合本体も押し出し成型で容易に得られる。【００１７】  また接続強度を向上させるロックバーを採用する場合、該ロックバーも長尺であり、挿入や抜取りを容易にするため、摺動性のある樹脂が好適であり、樹脂製のロックバーも押し出し成型で得られる。
【発明の効果】
【００１８】  本発明の接続具は、接続具全体が長尺であるため、板材の接続部全体を接続することができることから十分な接続強度が得られるばかりでなく、板の吸湿・乾燥の繰り返しにより板が反るようなことがあっても、板の反りを抑制して板同士の接続部に隙間を生じさせるようなことが全くないという信頼性に優れたものである。さらに本発明の接続具は、板の接続長さに合わせて切断して用いることができるため、如何様な長さの接続部にも対応できるという汎用性の高いものでもある。
【図面の簡単な説明】
【００１９】
【図１】本発明接続具の分解斜視図
【図２】本発明接続具を家具の横板と立板に設置した状態を説明する斜視図
【図３】本発明接続具を横板と立板に設置した家具において、横板と立板を接続する前の正面断面図
【図４】本発明接続具を家具の横板と立板に設置した家具において、横板と立板を接続した後の正面断面図
【図５】本発明接続具を用いて組立てた家具から摺動部を抜いて家具を分解する説明図
【図６】本発明接続具にロックバーを用いた分解斜視図
【図７】本発明接続具を家具の横板と立板に設置した家具において、本発明接続具にロックバーを用いて横板と立板を接続した後の正面断面図
【発明を実施するための形態】
【００２０】  本発明接続具は、取り付ける部所によって上下左右が変わるものであるが、説明を分かり易くするため、図面に示した状態で上下左右で表示することがある。
【００２１】  本発明接続具は図１に示すように、摺動レール１０、係合本体２０、保持レール３０から構成されている。
【００２２】  摺動レール１０は、内部が空洞となった断面コ字型の長尺であり、長手方向直角に如何なる部分で切断しても、断面が同一となっている。摺動レール１０の両壁１１、１１の先部（図１の下部）は、保持部１２、１２となっている。保持部１２、１２は内方に出ていて、内方に出た保持部１２、１２間で開口１３を形成している。保持部１２，１２の内側には、開口１３から壁１１方向に傾斜（図１の上方に傾斜）した傾斜部１４、１４となっている。
【００２３】  係合本体２０は弾性を有する長尺であり、長手方向直角に如何なる部分で切断しても、断面が同一となっている。係合本体２０は、摺動部２１と一対の係合片２２、２２からなっている。摺動部２１は、前記摺動レール１０の空洞となった内部に収納されるもので、両側に摺動脚２３、２３が形成されている。摺動脚２３、２３は、摺動レール１０の壁１１の内側と傾斜部１４に接する形状となっている。摺動脚２３，２３間は基部２４となっている。該基部の外幅は摺動レール１０の開口１３の幅よりも僅かに狭くなっている。
【００２４】  基部２４の両側からは一対の係合片２２、２２が突出している。係合片２２、２２の先端は、係合部２５、２５となっており、該係合部には外方に傾斜した傾斜部２６、２６が形成されている。また傾斜部２６、２６の途中には内方に引っ込んだ係合段部２７、２７が形成されている。
【００２５】  保持レール３０は、断面コ字型の長尺であり、長手方向直角に如何なる部分で切断しても、断面が同一となっている。保持レール３０の横幅は、前記摺動レール１０の横幅と略同一である。保持レール３０の両壁３１、３１の先部（図１の上部）は、引掛け部３２、３２となっている。引掛け部３２、３２は、内方に傾斜した傾斜部３３、３３となっており、傾斜部の途中には内方に引っ込んだ引掛け段部３４、３４が形成されている。引掛け部３２、３２の位置は、前記係合本体２０に形成された係合部２５、２５と相対向する位置であるが、さらに正確には、係合部２５の傾斜部２６の先端と、引掛け部３２の傾斜部３３の先端が一致する位置である。また引掛け部３２の傾斜部３３は、前述係合部２５の傾斜部２６と相反する方向に付されている。
【００２６】  次に上記構成からなる本発明接続具の家具への取り付けについて説明する。
【００２７】  第一板材の天板と第二板材の側板を接続して家具を組み立てる場合、図２に示すように先ず天板Ｔには摺動レール１０が面一で埋め込まれるように、摺動レールの横幅と高さが略同一となるような幅と深さの溝Ｍを形成し、また側板Ｇには保持レール３０が面一で埋め込まれるように、保持レールの横幅と高さが略同一となるような幅と深さの溝Ｍを形成しておく。次に長尺の摺動レール１０を天板Ｔの溝Ｍの長さと略同一の長さに切断し、長尺の保持レール３０を側板Ｇの溝Ｍの長さと略同一の長さに切断する。そして長尺の係合本体２０は、切断した摺動レールまたは保持レールの短い方の長さに合わせて切断する。天板と側板の溝の長さが異なることがあるのは、側板には、奥板を接続するための糊代を確保するため側板の溝を天板の溝よりも短くすることがあるからである。
【００２８】  まず、摺動レール１０を天板Ｔの溝Ｍに設置し、摺動レールの底面に穿設した図示しない穴から木ネジを螺入して、摺動レールを天板Ｔに固定する。同様にして、保持レール３０を側板Ｇの溝Ｍに設置し、保持レールに穿設した図示しない穴から木ネジを螺入して保持レールを側板に固定する。そして摺動部２１が摺動レール１０の内側に入るようにして、図２、３のように、接合本体１０を摺動レール１０内に挿入する。
【００２９】  係合本体２０の係合部２５と保持レール３０の引掛け部３２を向かい合わせてから図３の矢印Ａのように、天板Ｔを下方に降ろすと、係合部２５の傾斜部２６と引掛け部３２の傾斜部３３の先部とが接触する。そして、さらに天板Ａを下方に降ろすと係合部２５の傾斜部２６と引掛け部３２の傾斜部３３が滑りながら係合本体２０を下方に進入させる。このとき係合本体２０は、弾性があるため、一対の係合片２２、２２は内方に変形する。そして係合本体２０の進入が進んで、係合部２５の係合段部２７が引掛け部３２の引掛け段部３４に到達すると、係合片２２の弾性で係合片が外方に戻り、図４に示すように係合段部２７と引掛け段部３４が係合する。
【００３０】  このようにして係合本体の係合部と保持レールの引掛け部が係合すると、係合部と引掛け部が長い部分で係合するため、強い強度を有する接続部が得られるものである。
【００３１】  次に、本発明の接合装置を用いて組立てられた家具を、引っ越しや廃棄のために分解する手順について説明する。
【００３２】  図５は本発明接続具で組み立てられた家具の分解途中を説明するものである。係合本体２０の端部には、引き抜き手段としてのテープＰが輪状に取り付けられている。摺動レール１０に設置されている係合本体２０の係合部２５、２５と保持レール３０の引掛け部３２、３２が係合して強固に接続している接続具から、係合本体２０の端部に取り付けられた輪状のテープＰに指を掛けて、矢印Ｂ方向に引っ張る。すると係合本体２０は、樹脂のような摺動性を有する材料でできているため、摺動レール１０から容易に引き抜くことができる。このようにして係合本体２０を摺動レール１０から抜き取ると、係合本体の係合部と保持レールの引掛け部との係合が解かれるため、天板と側板とは完全に分離し、家具の分解が終了する。
【００３３】  本発明では、接合強度をさらに向上させるために、ロックバーを用いることもできる。図６、７に示すようにロックバー４０は、係合本体２０と保持レール３０の間に設置するものである。ロックバー４０は、保持レール３０の引掛け部３２、３２と係合本体１０の係合部２５、２５とが係合したとき、図７に示すように、一対の係合片２２、２２と基部２４と保持レール３０の底面３５で形成される空間と略同一形状の断面を有する長尺のものである。
【００３４】  係合本体１０の係合部２５、２５と保持レール３０の引掛け部３２、３２と係合後、前記空間にロックバー４０を挿入する。すると接続具で接続された天板Ｔに非常に強い力が掛かって、係合部２５の係合段部２７が引掛け部３２の引掛け段部３４から外れる方向に移動しようとしても、係合本体１０の一対の係合片２２、２２はロックバー４０によって移動が妨げられ、係合部が引掛け部から決して外れるようなことはない。
【００３５】  以上、説明したように、本発明の接続具は、接続部全体にわたって板同士を接続するため、非常に強度の強い接合部が得られるばかりでなく、吸湿・乾燥で板が反るような状態になっても、板の反りを抑制して板間に隙間が生ずるようなこともないという信頼性に優れたものである。また本発明の接続具は、家具を構成する板の長さに応じて、それぞれの部材を切断することにより、如何なる長さの接続部に対応できるという汎用性も有している。
【００３６】  なお実施例では、係合本体の両側に係合片を形成し、保持レールの両側に引掛け部を有する壁が形成されたもので示したが、本発明では一対の係合片を係合本体の中央に形成し、係合片の傾斜部を内側に向けて形成したものでもよく、この係合本体に対して、保持レールは引掛け部が形成された壁を一対の係合片に相対向して設置するとともに、引掛け部の傾斜部を外側に向けて形成したものを用いることもできる。この接続具にロックバーを用いる場合は、片方の係合片と保持レールの片方の壁間にロックバーを挿入し、さらにもう一方係合片と保持レールのもう一方の壁間にロックバーを挿入して係合片が外側に移動するのを防止する。すなわちこの接続具では、二本のロックバーを用いることになる。
【符号の説明】
【００３７】１０  摺動レール
１１  壁
１２  保持部
１３  開口
１４  傾斜部
２０  係合本体
２１  摺動部
２２  係合片
２３  摺動脚
２４  基部
２５  係合部
２６  傾斜部
２７  係合段部
３０  保持レール
３１  壁
３２  引掛け部
３３  傾斜部
３４  引掛け段部
３５  底面
４０  ロックバー
【図１】
2017219185.tif 000003
【図２】
2017219185.tif 000004
【図３】
2017219185.tif 000005
【図４】
2017219185.tif 000006
【図５】
2017219185.tif 000007
【図６】
2017219185.tif 000008
【図７】
2017219185.tif 000009